(57)【要約】【課題】小型な構成でカーソル操作等の多様な操作を良好に行えるようにする。【解決手段】ディスプレイと、押下操作されるスイッチと、そのスイッチを押下するための操作ノブとを具備する携帯型情報機器において、操作ノブ３１に指が接触したことを検出する接触検出手段と、その接触検出手段により検出される指の接触状態の継続時間を計時する計時手段と、その継続時間が予め設定された単位時間を越えた時、指の接触に基づいてディスプレイ２２上で実行される動作を変更するための信号を出力する変更手段とを設ける。【選択図】図１
2008090618.tif 000002
【特許請求の範囲】
【請求項１】
ディスプレイと、押下操作されるスイッチと、そのスイッチを押下するための操作ノブとを具備する携帯型情報機器において、
前記操作ノブに指が接触したことを検出する接触検出手段と、
その接触検出手段により検出される指の接触状態の継続時間を計時する計時手段と、
その計時手段により計時される前記継続時間が予め設定された単位時間を越えた時、前記接触検出手段で検出される指の接触に基づいて前記ディスプレイ上で実行される動作を変更するための信号を出力する変更手段とを設けたことを特徴とする携帯型情報機器。
【請求項２】
請求項１記載の携帯型情報機器において、
前記スイッチはクリック感を発生するスイッチとされ、
前記操作ノブはその中心に対して４方向に配置された４つの前記スイッチを選択押下可能とされ、
前記接触検出手段は前記操作ノブの中心回りに等角間隔で少なくとも４つ配置されて、それら接触検出手段により前記操作ノブに対する指の接触位置を検出可能とされていることを特徴とする携帯型情報機器。
【請求項３】
請求項２記載の携帯型情報機器において、
前記ディスプレイにカーソルを表示するカーソル表示手段と、
そのカーソル表示手段によって表示されたカーソルを前記ディスプレイ上で移動させるカーソル移動手段とを備え、
前記カーソル移動手段は前記接触検出手段によって検出される指の接触位置に対応して所定の方向へカーソルを移動させ、かつ前記変更手段からの信号によりカーソルの移動速度を増大させることを特徴とする携帯型情報機器。
【請求項４】
請求項３記載の携帯型情報機器において、
前記ディスプレイの表示画面を移動させる画面移動手段を備え、
前記画面移動手段は前記ディスプレイの周縁部に設定された画面移動領域に前記カーソルが進入し、かつ前記カーソル移動手段からその進入方向にさらにカーソルを移動させる信号が出力されている場合に、表示画面を前記進入方向と反対方向に移動させることを特徴とする携帯型情報機器。
【請求項５】
請求項３記載の携帯型情報機器において、
前記ディスプレイの表示画面を移動させる画面移動手段を備え、
前記画面移動手段は前記スイッチが押下操作されると、その押下操作されたスイッチが前記中心に対して位置する方向と反対方向に表示画面を移動させることを特徴とする携帯型情報機器。
【請求項６】
請求項４記載の携帯型情報機器において、
前記カーソル移動手段は前記スイッチが押下操作されると、その押下操作されたスイッチが前記中心に対して位置する方向にカーソルを加速移動させることを特徴とする携帯型情報機器。
【請求項７】
請求項４記載の携帯型情報機器において、
前記スイッチを押下操作することにより、前記カーソル周辺がアクティブ状態になることを特徴とする携帯型情報機器。
【請求項８】
請求項４記載の携帯型情報機器において、
前記ディスプレイの表示画面を拡大縮小させる画面拡大縮小手段を備え、
前記画面拡大縮小手段は複数の前記接触検出手段が所定時間内に連続して指の接触を検出した時、その検出順序に応じて表示画面を拡大縮小させることを特徴とする携帯型情報機器。
【請求項９】
ディスプレイと、押下操作されるスイッチと、そのスイッチを押下するための操作ノブとを具備する携帯型情報機器において、
前記スイッチはクリック感を発生するスイッチとされ、
前記操作ノブはその中心に対して４方向に配置された４つの前記スイッチを選択押下可能とされ、
前記操作ノブに指が接触したことを検出する接触検出手段が前記操作ノブの中心回りに等角間隔で少なくとも４つ配置されて、それら接触検出手段により前記操作ノブに対する指の接触位置を検出可能とされており、
前記接触検出手段で検出される指の接触位置に基づいて前記ディスプレイ上で実行される動作と、複数の前記接触検出手段が指の接触を所定時間内に連続して検出した時に前記ディスプレイ上で実行される動作とが異なることを特徴とする携帯型情報機器。
【請求項１０】
操作ノブを押下することにより操作されるスイッチを複数具備する携帯型情報機器において、
前記操作ノブに指が接触したことを検出する接触検出手段が各操作ノブに配置され、
それら各操作ノブに配置された接触検出手段が指の接触を所定時間内に連続して検出した時、前記スイッチに割り当てられた機能を変更することを特徴とする携帯型情報機器。
【発明の詳細な説明】
【技術分野】
【０００１】
この発明は携帯電話機やＰＨＳ、ＰＤＡさらにはデジタルカメラ等の携帯型の情報機器に関する。
【背景技術】
【０００２】
携帯電話機やデジタルカメラには各種操作を行うための５ＷＡＹスイッチと呼ばれるスイッチが搭載されている。図１８はこの５ＷＡＹスイッチが搭載されている携帯電話機の概要を示したものであり、５ＷＡＹスイッチ１１は図中に番号１〜５を付した箇所を押下することで各種の操作を行うことができるものとなっている。一般的にはリング状をなす操作ノブ１２の番号１〜４を付した箇所を押下することで各種項目を選択し、番号５を付した円形の中央操作ノブ１３を押下することで選択した項目を決定することができるものとなっている。図１８中、２１は電話機本体を示し、２２はディスプレイを示す。
図１９はディスプレイ２２の表示画面を例示したもので、例えば図１９Ａのような表示画面で項目を選択する場合、操作ノブ１２の番号１を付した箇所を押下することで選択領域が図１９Ｂに示したように上方に移動し、“００２ ＢＢＢ”を選択することができる。“００２ ＢＢＢ”が選択された状態で中央操作ノブ１３（番号５を付した箇所）を押下すると、“００２ ＢＢＢ”を実行することができる。仮に、図１９に示された各項目が楽曲であった場合、中央操作ノブ１３を押下すると“００２ ＢＢＢ”の楽曲が再生される。
【０００３】
ところで、最近の携帯電話機においては上述したような５ＷＡＹスイッチのみでは操作が難しくなる状況が生じている。その理由は現在パーソナルコンピュータ（以下、ＰＣと言う）等で閲覧しているインターネット画面を携帯電話機で閲覧したいという市場の要求による。
従来、携帯電話機ではＰＣとは異なるインターネット画面を表示させており、その操作は５ＷＡＹスイッチで充分であった。しかしながら、携帯電話機の高機能化に伴い、ＰＣで表示させていたインターネット画面を表示できる携帯電話機（一般的にはフルブラウザと呼ばれている）が数年前から登場した。
このような携帯電話機が登場したことにより、携帯電話機にもカーソルを操作できるようなポインティングデバイスが望まれていた。
【０００４】
特許文献１にはカーソルの操作ができるポインティングデバイスを搭載した携帯電話機が記載されており、その構成は従来の５ＷＡＹスイッチの中央の押下スイッチの部分にポインティングデバイスを搭載したものとなっている。
このポインティングデバイスは図２０に矢印で示したように中央操作ノブ１３’を多方向に移動（スライド）させることでカーソルを操作可能としたものであり、また押下することにより操作されるスイッチとしての機能も持っている。
【特許文献１】特開２００６−１９７１５９号公報
【発明の開示】
【発明が解決しようとする課題】
【０００５】
しかるに、上記のようなポインティングデバイスは中央操作ノブをスライドさせ、その移動量の変化によりカーソルを動作させるため、中央操作ノブをスライドするための面積が必要となることから、小型化には限界があり、よって携帯電話機等の小型化が要求される携帯型情報機器への搭載は搭載スペースを確保する必要があることから、その小型化を阻害する要因となる。
また、カーソル操作に加え、中央操作ノブを押下することで、選択した項目を決定することができるが、押下する際に中央操作ノブがスライドする恐れがあり、これにより所望の選択項目とは異なる項目を決定してしまうといった問題もある。
この発明の目的はこのような問題に鑑み、従来のポインティングデバイスのようにスライド動作させる面積を確保する必要がなく、小型な構成でカーソル操作等の多様な操作を良好に行うことができる操作デバイスを搭載した携帯型情報機器を提供することにある。
【課題を解決するための手段】
【０００６】
請求項１の発明によれば、ディスプレイと、押下操作されるスイッチと、そのスイッチを押下するための操作ノブとを具備する携帯型情報機器において、操作ノブに指が接触したことを検出する接触検出手段と、その接触検出手段により検出される指の接触状態の継続時間を計時する計時手段と、その計時手段により計時される継続時間が予め設定された単位時間を越えた時、接触検出手段で検出される指の接触に基づいてディスプレイ上で実行される動作を変更するための信号を出力する変更手段とが設けられる。
請求項２の発明では請求項１の発明において、前記スイッチはクリック感を発生するスイッチとされ、操作ノブはその中心に対して４方向に配置された４つの前記スイッチを選択押下可能とされ、接触検出手段は操作ノブの中心回りに等角間隔で少なくとも４つ配置されて、それら接触検出手段により操作ノブに対する指の接触位置を検出可能とされる。
請求項３の発明では請求項２の発明において、ディスプレイにカーソルを表示するカーソル表示手段と、そのカーソル表示手段によって表示されたカーソルをディスプレイ上で移動させるカーソル移動手段とを備え、カーソル移動手段は接触検出手段によって検出される指の接触位置に対応して所定の方向へカーソルを移動させ、かつ変更手段からの信号によりカーソルの移動速度を増大させる。
【０００７】
請求項４の発明では請求項３の発明において、ディスプレイの表示画面を移動させる画面移動手段を備え、画面移動手段はディスプレイの周縁部に設定された画面移動領域にカーソルが進入し、かつカーソル移動手段からその進入方向にさらにカーソルを移動させる信号が出力されている場合に、表示画面を前記進入方向と反対方向に移動させる。
請求項５の発明では請求項３の発明において、ディスプレイの表示画面を移動させる画面移動手段を備え、画面移動手段は前記スイッチが押下操作されると、その押下操作されたスイッチが前記中心に対して位置する方向と反対方向に表示画面を移動させる。
請求項６の発明では請求項４の発明において、カーソル移動手段は前記スイッチが押下操作されると、その押下操作されたスイッチが前記中心に対して位置する方向にカーソルを加速移動させる。
請求項７の発明では請求項４の発明において、前記スイッチを押下操作することにより、カーソル周辺がアクティブ状態になる。
【０００８】
請求項８の発明では請求項４の発明において、ディスプレイの表示画面を拡大縮小させる画面拡大縮小手段を備え、画面拡大縮小手段は複数の接触検出手段が所定時間内に連続して指の接触を検出した時、その検出順序に応じて表示画面を拡大縮小させる。
請求項９の発明によれば、ディスプレイと、押下操作されるスイッチと、そのスイッチを押下するための操作ノブとを具備する携帯型情報機器において、前記スイッチはクリック感を発生するスイッチとされ、操作ノブはその中心に対して４方向に配置された４つの前記スイッチを選択押下可能とされ、操作ノブに指が接触したことを検出する接触検出手段が操作ノブの中心回りに等角間隔で少なくとも４つ配置されて、それら接触検出手段により操作ノブに対する指の接触位置を検出可能とされており、接触検出手段で検出される指の接触位置に基づいてディスプレイ上で実行される動作と、複数の接触検出手段が指の接触を所定時間内に連続して検出した時にディスプレイ上で実行される動作とが異なるものとされる。
請求項１０の発明によれば、操作ノブを押下することにより操作されるスイッチを複数具備する携帯型情報機器において、操作ノブに指が接触したことを検出する接触検出手段が各操作ノブに配置され、それら各操作ノブに配置された接触検出手段が指の接触を所定時間内に連続して検出した時、前記スイッチに割り当てられた機能を変更するものとされる。
【発明の効果】
【０００９】
この発明によれば、従来のポインティングデバイスのようにスライド操作するための面積を確保する必要がなく、例えば従来の５ＷＡＹスイッチと同等の小型な構成でカーソル操作等の操作を良好に行うことができ、かつ多様な操作を行うことができる操作デバイスを搭載した携帯型情報機器を提供することができる。
【発明を実施するための最良の形態】
【００１０】
この発明の実施形態を図面を参照して実施例により説明する。
［実施例１］
図１はこの発明による携帯型情報機器の一実施例として携帯電話機の外観概要を示したものであり、図中、２１は電話機本体を示し、２２はディスプレイを示す。
この例では図１８に示した従来の携帯電話機と同様、押下操作される５ＷＡＹスイッチを備えており、さらにこの５ＷＡＹスイッチに接触検出手段（タッチセンサ）が付加された構造となっている。接触検出手段はリング状をなす操作ノブ３１に指が接触したことを検出するもので、この例では操作ノブ３１の中心回りに等角間隔で、つまり４５°間隔で８つ配置されている。操作ノブ３１の番号１〜８を付した箇所は接触検出手段が配置されている箇所を示す。
一方、押下操作されるスイッチはクリック感を発生するスイッチ（クリックスイッチ）とされ、操作ノブ３１の番号１，３，５，７を付した箇所に配置されている。操作ノブ３１はこれら中心に対して４方向に配置されたスイッチを選択押下可能とされ、また８つの接触検出手段により操作ノブ３１に対する指の接触位置が検出可能とされている。なお、番号９を付した中央操作ノブ３２には接触検出手段は配置されておらず、押下操作されるスイッチのみが配置されている。
【００１１】
図２はこのように５ＷＡＹスイッチに接触検出手段が付加された構造の操作デバイス３０の構造を一部分解して示したものであり、押下操作される５つのスイッチ３３はベース３４上に配置された接点パターンが形成されたＦＰＣ３３ａと各接点パターン部に搭載されたクリックドーム３３ｂとによって構成され、これらスイッチ３３と操作ノブ３１との間に、この例ではメンブレンスイッチが接触検出手段３５として配置されている。なお、接触検出手段３５としてはメンブレンスイッチ（感圧方式）に限らず、静電容量方式のものも用いることができる。
操作ノブ３１及び中央操作ノブ３２の下面側にはラバーシート３６が配され、このラバーシート３６には操作ノブ３１及び中央操作ノブ３２の番号１〜９を付した箇所に対応して押圧用の突起が形成されている。
【００１２】
図３は携帯電話機の回路構成の要部を示したものであり、ＣＰＵ４０とＲＯＭ５１とＲＡＭ５２と入力回路５３，５４と表示回路５５と計時手段５６とを備え、入力回路５３，５４にはそれぞれ前述したスイッチ３３及び接触検出手段３５が接続され、表示回路５５にはディスプレイ２２が接続されている。なお、通信や音声関係等の回路の図示は省略している。
ＲＯＭ５１には携帯電話機の各部を制御するための制御プログラムや固定的なデータが格納され、ＲＡＭ５２には一時的なデータが格納される。
押下判定手段４１、接触判定手段４２、表示制御手段４３、比較手段４４、変更手段４５はＣＰＵ４０によって構成されており、表示制御手段４３はカーソル表示手段４３ａ、カーソル移動手段４３ｂ、画面移動手段４３ｃ、画面拡大縮小手段４３ｄを含むものとされる。
【００１３】
押下判定手段４１はスイッチ３３が押下操作されたことを判定し、５つのスイッチ３３のうちのどのスイッチ３３が操作ノブ３１あるいは中央操作ノブ３２によって押下されたかを判定する。接触判定手段４２は８つの接触検出手段３５のうち、どの接触検出手段３５が操作ノブ３３に対する指の接触を検出したかを判定する。
カーソル表示手段４３ａはディスプレイ２２にカーソルを表示させ、カーソル移動手段４３ｂはカーソルをディスプレイ２２上で移動させる。画面移動手段４３ｃはディスプレイ２２の表示画面を移動させ、画面拡大縮小手段４３ｄはディスプレイ２２の表示画面を拡大・縮小させる。
比較手段４４は計時手段５６によって計時される時間と予め設定された時間とを比較する。変更手段４５は計時手段５６で計時される時間が予め設定された時間を越えた時、ディスプレイ２２上で実行される動作を変更するための信号を出力する。
【００１４】
図４は上記のような構成を有する携帯電話機において、接触検出手段３５による指の接触検出に基づくカーソル、画面制御の流れを示したものであり、以下、順に説明する。
操作ノブ３１への接触を検出したかどうかを判定し（ステップＳ１０１）、接触を検出した場合は指の接触位置に対応した移動方向にカーソルを予め設定された速度で移動させる（ステップＳ１０２）。図５はディスプレイ２２に地図画面が表示されている場合を例にカーソル移動の様子を示したものであり、図５Ａは初期状態、図５Ｂはカーソル移動状態を示し、操作ノブ３１の番号１を付した箇所に指が接触している場合、カーソルは図５Ｂに示したように上方へ移動する。
操作ノブ３１への接触を検出すると、計時手段５６によってその指の接触状態の継続時間が計時され、予め設定された単位時間を越えた時（ステップＳ１０３）、変更手段４５から出力される信号によりカーソル移動手段４３ｂはカーソル移動速度を増大させる（ステップＳ１０４）。カーソル移動速度の増大は所定値増大させてもよく、また接触状態の継続時間に応じてカーソルが加速移動するようにしてもよい。
【００１５】
図６は図５と同様、地図画面において操作ノブ３１の番号１を付した箇所に指が接触している場合のカーソルが加速移動する様子を示したものであり、図６Ａは初期状態、図６Ｂはカーソルの加速移動状態を示す。
一方、この例では図７Ａに示したようにディスプレイ２２の周縁部に画面移動領域２２ａが設定されており、この画面移動領域２２ａ内にカーソルを移動させることで画面を移動させることができるものとなっている。即ち、カーソル位置が画面移動領域２２ａ内かどうかを判定し（ステップＳ１０５）、カーソルが画面移動領域２２ａに進入しており、かつカーソル移動手段４３ｂからその進入方向にさらにカーソルを移動させる信号が出力されている場合に画面をそのカーソルの進入方向（カーソル移動方向）と逆方向に移動させる（ステップＳ１０６）。
【００１６】
図７Ｂは図７Ａの画面移動前の状態に対し、このようにして画面が移動された移動後の状態を示す。なお、画面移動領域２２ａ内にカーソルが進入していない場合は引き続きカーソルを移動させる（ステップＳ１０７）。
図８は地図上のアイコンにカーソルを合わせた状態で中央操作ノブ３２（番号９を付した箇所）を押し込み、スイッチ（クリックスイッチ）をＯＮにした状態の一例を示したものであり、この例ではポップアップメニューが表示され、映画館の上映時間が確認できるものとなっている。
なお、この例ではポップアップメニューが表示されるものとなっているが、インターネット画面で画面内にリンクが配置されており、そのリンクにカーソルを合わせた状態で中央操作ノブ３２を押し込み、スイッチをＯＮにすると、画面がリンクに割り当てられた画面に移ることは容易に想像できる。
【００１７】
以上説明したように、この例によれば操作ノブ３１への指の接触により、カーソルを多方向へ操作可能となっており、さらに画面移動も行えるものとなっている。従って、図２０に示したポインティングデバイスのようにスライド動作させる面積は不要であって、そのような面積を確保する必要がないため、カーソル操作を必要とする携帯型情報機器の小型化に寄与することができ、例えば図１８に示した従来の５ＷＡＹスイッチと同等の大きさでカーソルのポインティング機能を携帯型情報機器に付加することができる。
また、図２０に示した従来例では中央操作ノブ１３’に選択、決定の２つの機能を割り当てているのに対し、この例ではリング状の操作ノブ３１への接触によりカーソルを移動し、アイコンを選択させ、中央操作ノブ３２を押下することで選択されているアイコンを決定するというように、選択と決定の手段が明確に分離している。そのため、決定操作を行う際に、選択しているアイコンがずれたりすることがなく、その点で誤操作を減少させることができる。
【００１８】
なお、この例では操作ノブ３１への接触によりカーソルと画面の両方を移動させることができるため、操作ノブ３１の押下によって操作される４方向のスイッチ３３に所望の機能を割り当てることができ、その点で操作性に優れた携帯型情報機器の実現が可能となる。
加えて、操作ノブ３１への接触時間と予め設定された単位時間との比較を行い、単位時間を越えた場合に実行する動作を変える（切り替える）ものとなっており、この点でも多様な操作を良好に行えるものとなっている。
なお、この例では操作ノブ３１に対する指の接触を番号１〜８を付した８箇所によって検出し、８方向のカーソル移動を行えるものとしているが、例えば番号１，３，５，７の４箇所で接触を検出するようにしてもよく、さらには例えば１６箇所で接触を検出するようにしてもよい。
また、この例ではリング状をなす操作ノブ３１に接触検出手段（タッチセンサ）が付加されており、中央操作ノブ３２には接触検出手段は配置されていないが、特に接触検出手段の配置場所を限定する必要はなく、中央操作ノブ３２に複数の接触検出手段が付加されており、リング状をなす操作ノブ３１に接触検出手段を配置しない構成も可能である。
【００１９】
［実施例２］
実施例１では操作ノブ３１への指の接触によりカーソル移動と画面移動の両方を操作することができるものとしているが、この例では操作ノブ３１への指の接触によりカーソルが移動操作され、画面移動は操作ノブ３１の押下によるスイッチ３３の押下操作によって行うようにしたものである。
図９はこの場合のカーソル、画面制御の流れを示したものであり、ステップＳ１０１からステップＳ１０４までは実施例１と同じである。
この例では操作ノブ３１が押下されたかどうかを判定し（ステップＳ１１１）、押下された場合はカーソルの動作を停止し（ステップＳ１１２）、押下位置に対応してつまりＯＮとされたスイッチ３３の位置に対応して画面を移動させる（ステップＳ１１３）。
【００２０】
図１０はこの画面移動の様子を示したものであり、図１０Ａは初期状態、図１０Ｂは移動後の状態を示す。操作ノブ３１の番号１を付した箇所を押し込み、スイッチ３３をＯＮさせると、この図１０に示したように画面は下方に移動する。なお、この時、接触検出手段３５は番号１を付した箇所への接触を検出しており、本来、カーソルは上方へ移動するが、ユーザが画面移動からカーソル移動に移る場合にカーソルの位置を見失わないように画面を移動させている場合はカーソルの動作を止めている。
この実施例２に示したように、４方向のスイッチ３３に画面移動機能を割り当てるようにしてもよい。
【００２１】
［実施例３］
実施例３は実施例１では規定していなかったスイッチ３３の機能をカーソルの加速移動に割り当てるようにしたものであり、操作ノブ３１への接触によるカーソルの動作及び画面移動の動作については実施例１と同様である。
この例では例えば操作ノブ３１の番号１を付した箇所を押し込み、スイッチ３３をＯＮにすると、カーソルが加速移動する。この加速移動は前述の実施例１において図６で示したカーソルの加速移動と同様であり、押下操作されたスイッチ３３が操作ノブ３１の中心に対して位置する方向にカーソルを加速移動させることができる。スイッチ３３の割り当ては番号１を付した箇所：上、番号３を付した箇所：右、番号５を付した箇所：下、番号７を付した箇所：左となる。
この例では接触検出手段３５によるカーソル移動とは別に、スイッチ３３によるカーソル加速機能を付加したことで、アイコンの選択と画面の大きな移動時の操作が快適となる。
即ち、アイコンの選択時にはカーソル速度は遅い方が所定の位置のアイコンにカーソルを合わせることが容易であるのは当然のことであるが、カーソル速度を遅くすると、画面を大きく移動させる際に時間がかかってしまうという問題がある。この例では画面を大きく移動させる際には操作ノブ３１を押下してカーソルを加速移動させればよく、快適な操作性の携帯型情報機器を提供することができる。
【００２２】
［実施例４］
実施例４は実施例１では規定していなかったスイッチ３３の機能をアイコンのアクティブ状態移動に割り当てるようにしたものであり、カーソルの動作及び画面移動の動作については実施例１と同様である。
図１１はこの様子を示したものであり、図１１Ａに示した状態で操作ノブ３１の番号１，３，５，７を付した箇所のいずれかを押し込み、スイッチ３３をＯＮにすると、カーソル付近のアイコンがアクティブ状態になる。図１１Ａの場合では駅アイコンがカーソルに最も近いので駅アイコンがアクティブになる。
次に、操作ノブ３１の番号３を付した箇所を押し込み、スイッチ３３をＯＮにすると、駅アイコンより右にある映画アイコンが図１１Ｂに示したようにアクティブとなる。さらに、映画アイコンがアクティブ状態の時に、中央操作ノブ３２を押し込み、スイッチ３３をＯＮにすると、この場合はポップアップメニューが図１１Ｃに示したように表示され、映画の上映時間を確認することができる。
この例では上述したように操作ノブ３１を押下し、４方向に配置されたスイッチ３３を適宜、ＯＮさせることによりアクティブ状態の移動を行うことができ、つまりカーソルによるアイコンの選択とは別にスイッチ３３によるアクティブ状態移動を追加したことにより、カーソルを移動させるよりも早く所望のアイコンを選択することができる。
また、カーソルによる選択とクリックによる選択の両方を一つの操作デバイス（ポインティングデバイス）にて提供することでユーザは操作方法を自分で選択することができ、より多くのユーザに受け入れられる携帯型情報機器を提供することが可能となる。
【００２３】
［実施例５］
実施例５では実施例１と同様、操作ノブ３１への指の接触によって、つまり接触検出手段３５の接触検出によってカーソルと画面の両方を移動させるが、操作ノブ３１の番号１〜８を付した箇所に配置されている接触検出手段３５が連続して指の接触を検出した時、即ち、複数の接触検出手段３５への連続した操作（以下、モーション入力と言う）が行われた時、表示画面を拡大縮小するようにしたものである。
図１２はこの場合の画面制御の流れを示したものであり、まず操作ノブ３１への接触を検出したかどうかを判定する（ステップＳ１０１）。接触を検出した場合は複数の箇所が連続して接触検出したかどうかを判定する（ステップＳ１２１）。具体的には操作ノブ３１の番号１〜８を付した８箇所のうち、例えば５箇所が連続して接触検出したかどうかを判定する。そして、５箇所連続接触検出された場合は、その入力時間が所定時間内かどうかを判定する（ステップＳ１２２）。入力時間が所定時間内であった場合はその入力順序（検出順序）が時計方向かどうかを判定する（ステップＳ１２３）。入力順序が時計方向である場合は画面を拡大し（ステップＳ１２４）、入力順序が反時計方向である場合は画面を縮小する（ステップＳ１２５）。
なお、ステップＳ１２１において５箇所連続接触されていないと判定された場合は図４に示したフローチャート（もしくは図９に示したフローチャート）のステップＳ１０２に進む。
【００２４】
図１３は一例として画面拡大の様子を示したものであり、図１３Ａは初期状態、図１３Ｂは拡大後の状態を示す。この例では操作ノブ３１の番号１〜５を付した箇所がこの順序に連続して接触操作されることによってディスプレイ２２に表示された地図が拡大している。
なお、この例では連続接触検出の数を５個（５箇所）としているが、これに限らず、複数であればよい。しかしながら、この例のように５個とすることで、つまりリング状の操作ノブ３１における半周分とすることでモーション入力の検出の確実性が増す。
【００２５】
［実施例６］
この例は操作ノブを押下することにより操作されるスイッチを複数具備する携帯型情報機器において、操作ノブに指が接触したことを検出する接触検出手段を各操作ノブに配置し、各操作ノブに配置された接触検出手段が指の接触を所定時間内に連続して検出した時、つまりモーション入力が行われた時、スイッチに割り当てられた機能を変更するようにしたものである。
図１４に示したように携帯電話機は長方形状の３つの操作ノブ６１〜６３を有するものとする。これら操作ノブ６１〜６３には接触検出手段がそれぞれ配置されており、さらに前述の図２に示した構成と同様の構成で接触検出手段の下にスイッチ（クリックスイッチ）がそれぞれ配置されているものとする。図中、６４は電話機本体を示し、６５はディスプレイを示す。
図１５はこの携帯電話機の回路構成の要部を示したものであり、図３と対応する部分には同一符号を付し、その詳細な説明を省略する。
図１６はこのような構成を有する携帯電話機において、モーション入力による機能変更の流れを示したものである。まず、操作ノブ６１〜６３に指が接触したかどうかを判定する（ステップＳ２０１）。接触を検出した場合は３個の操作ノブ６１〜６３において連続接触検出されたかどうかを判定する（ステップＳ２０２）。３個連続接触検出された場合はその入力時間が所定時間内かどうかを判定する（ステップＳ２０３）。そして、入力時間が所定時間内であった場合はスイッチ３３に割り当てられている機能を変更する（ステップＳ２０４）。
【００２６】
図１７はこの機能割り当て変更の一例を示したものであり、図１７Ａに示したように各操作ノブ６１〜６３のスイッチには音楽プレイヤー操作用の３つの機能（曲戻し、再生、曲送り）が割り当てられているが、操作ノブ６１〜６３に対するモーション入力により図１７Ｂに示したように各操作ノブ６１〜６３のスイッチに割り当てられる機能が音量ＤＯＷＮ、←（メニューへ戻る）、音量ＵＰの３つに変更される。
なお、この図１７に示したようにディスプレイ６５の下部に各操作ノブ６１〜６３の現在の機能が表示されていると、スイッチに割り当てられた現在の機能が分からなくなってしまうことがない。
この例によれば、所定時間内に接触検出手段が連続操作された場合、その入力順序によってスイッチに割り当てられた機能を変更することができる。
従来はメニュー変更するために別のスイッチを設けなければならなかったが、モーション入力によりメニューを変更することができるため、スイッチの数を減らすことができ、よって機器の小型化に貢献することができる。
【図面の簡単な説明】
【００２７】
【図１】この発明による携帯型情報機器の実施例１の外観概要を示す平面図。
【図２】図１における操作デバイスの一部分解した斜視図。
【図３】図１に示した携帯電話機の回路構成の要部を示すブロック図。
【図４】実施例１におけるカーソル、画面制御の流れを示すフローチャート。
【図５】カーソルの移動（等速移動）を示す図。
【図６】カーソルの加速移動を示す図。
【図７】画面移動を示す図。
【図８】決定動作の一例を示す図。
【図９】この発明の実施例２におけるカーソル、画面制御の流れを示すフローチャート。
【図１０】画面移動を示す図。
【図１１】アイコンのアクティブ状態、決定動作の一例を示す図。
【図１２】この発明の実施例５におけるカーソル、画面制御の流れを示すフローチャート。
【図１３】画面拡大を示す図。
【図１４】この発明による携帯型情報機器の実施例６の外観概要を示す平面図。
【図１５】図１４に示した携帯電話機の回路構成の要部を示すブロック図。
【図１６】実施例６における機能変更の流れを示すフローチャート。
【図１７】機能割り当て変更を示す図。
【図１８】携帯電話機の一従来例の外観概要を示す平面図。
【図１９】カーソル移動を示す図。
【図２０】携帯電話機の他の従来例の外観概要を示す平面図。
【図１】
2008090618.tif 000003
【図２】
2008090618.tif 000004
【図３】
2008090618.tif 000005
【図４】
2008090618.tif 000006
【図５】
2008090618.tif 000007
【図６】
2008090618.tif 000008
【図７】
2008090618.tif 000009
【図８】
2008090618.tif 000010
【図９】
2008090618.tif 000011
【図１０】
2008090618.tif 000012
【図１１】
2008090618.tif 000013
【図１２】
2008090618.tif 000014
【図１３】
2008090618.tif 000015
【図１４】
2008090618.tif 000016
【図１５】
2008090618.tif 000017
【図１６】
2008090618.tif 000018
【図１７】
2008090618.tif 000019
【図１８】
2008090618.tif 000020
【図１９】
2008090618.tif 000021
【図２０】
2008090618.tif 000022